(57)【要約】      （修正有）【課題】使用者が簡易に顔面保護用マスクをフレームからスムーズに着脱でき、医者や看護師、子供、実験室習者などが有害物質から顔面への感染やけがを防止し、自由な呼吸と視野角を妨げず、前方透視が可能であり、野外活動で紫外線を遮断する眼鏡フレームを提供する。【解決手段】眼鏡フレームは、鼻かけが結合されたフレーム前面部と、フレーム前面部の両端部に折り畳み可能に結合される連結部と、連結部に一端が結合されるフレーム脚部とから構成され、連結部は、支持部と、押圧部と、押圧片とから構成される。【選択図】図１
0003170553.tif 000002
【実用新案登録請求の範囲】
【請求項１】
マスクフィルムと、前記マスクフィルムが装着される眼鏡フレームとから構成される顔面保護用マスクであって、
前記眼鏡フレームは、鼻かけが結合されたフレーム前面部と、
前記フレーム前面部の両端部に折り畳み可能に結合される連結部と、
前記連結部に一端が結合されるフレーム脚部とから構成されること
を特徴とするマスクフィルムの装着に用いられる眼鏡フレーム。
【請求項２】
前記フレーム前面部は、中央下部に前記鼻かけが一体に形成されるか、又は、別に形成され、
前記フレーム脚部は、前記連結部の支持部に一端が結合することにより、前記フレーム前面部に連結され、
前記連結部は、一端部が前記フレーム前面部の両端部に折り畳み可能となるように結合し、他端部が前記フレーム脚部に一体に結合する支持部と、一端部が前記支持部の他端部側に結合し、且つ前記支持部とは離隔するように配置され、前記フレーム脚部と延長線上にある押圧部と、前記押圧部の内側面に突出するように備えられる押圧片とから構成されることを特徴とする請求項１に記載のマスクフィルムの装着に用いられる眼鏡フレーム。
【請求項３】
前記連結部の下部を上部に比較して内側に位置するようにし、前記連結部の内側面が角度(θ)で上方向に向けるように形成されることを特徴とする請求項２に記載のマスクフィルムの装着に用いられる眼鏡フレーム。
【請求項４】
前記支持部には、空間部が更に備えられ、
前記押圧部は、前記フレーム脚部と同一の曲率を有するように形成されることを特徴とする請求項２に記載のマスクフィルムの装着に用いられる眼鏡フレーム。
【請求項５】
前記押圧片は、突出部分が丸い弧状であり、前記押圧部の内側面に形成された溝に結合され、前記支持部の前記空間部に対応する位置に形成され、前記押圧部の内側面から突出した前記押圧片の突出上端が、前記空間部に重なるように形成されることを特徴とする請求項４に記載のマスクフィルムの装着に用いられる眼鏡フレーム。
【請求項６】
前記押圧片は、前記押圧部の内側面に形成された溝に結合されるローラ状であることを特徴とする請求項５に記載のマスクフィルムの装着に用いられる眼鏡フレーム。
【請求項７】
前記支持部は、前記空間部を中心に上部と下部に分けられ、前記上部又は下部には、前記押圧部の押圧片と同一線上に配置されないように備えられた押圧片を更に含むことを特徴とする請求項５に記載のマスクフィルムの装着に用いられる眼鏡フレーム。
【請求項８】
前記押圧片は弾性材質であり、前記押圧片の突出上端部分は、前記マスクフィルムの摺動結合に際して、前記マスクフィルムに圧力を与えると共に、前記マスクフィルムにより押さえられることを特徴とする請求項５に記載のマスクフィルムの装着に用いられる眼鏡フレーム。
【請求項９】
前記マスクフィルムを前記眼鏡フレームに結合してから使用者が着用したときに、前記連結部の支持部と前記押圧部とは一定の位置で接触することになり、前記押圧部と前記押圧片とは結合された前記マスクフィルムに更に圧力を与えるようになることを特徴とする請求項８に記載のマスクフィルムの装着に用いられる眼鏡フレーム。
【請求項１０】
前記マスクフィルムは透明材質であり、ＰＥフィルム層、ＰＥＴフィルム層、ＵＶ遮断と曇り止め及び抗菌機能を有するコーティング層、及びＰＥフィルム層が順に積層して形成されることを特徴とする請求項１に記載のマスクフィルムの装着に用いられる眼鏡フレーム。
【請求項１１】
請求項１０のマスクフィルムと、
前記マスクフィルムが装着される請求項１乃至請求項９のいずれか一項の眼鏡フレームとを含むことを特徴とする顔面保護用マスク。
【請求項１２】
請求項１０のマスクフィルムと、
前記マスクフィルムが装着される請求項１乃至請求項９のいずれか一項の眼鏡フレームとを含むことを特徴とする紫外線遮断用マスク。
【考案の詳細な説明】
【技術分野】
【０００１】
本考案は、顔面保護及び紫外線遮断用マスク、並びに、マスクフィルムの装着に用いられる眼鏡フレームに関し、より詳しくは、医療施術、実験実習、作品活動に際しての汚染物質や有害物質が目と顔に飛ぶことを防止し、料理、飲食物の料理に際しての熱い油やその他の物質が目と顔に飛ぶことを防止し、野外活動に際しての紫外線などから顔を保護するために用いられるなど、様々な用途に活用することができ、且つ、マスクがそのフレームに脱着自在に構成された顔面保護及び紫外線遮断用マスク、並びに、マスクフィルムの装着に用いられる眼鏡フレームに関する。
【背景技術】
【０００２】
一般に、病院では、各種病原菌や有害物質が施術者である医者や看護師に飛んで感染されることを防止するため、施術時にマスクを着用する。
【０００３】
また、玩具用の銃や剣などの鋭いものを持って遊ぶ子供、化学薬品などを利用して実験実習をする学生及び研究員、及び飲食物を料理する料理者の場合も、同様に顔を保護する必要がある。
【先行技術文献】
【特許文献】
【０００４】
【特許文献１】韓国登録実用新案第０２４０８０１号公報
【考案の概要】
【考案が解決しようとする課題】
【０００５】
しかし、このような従来のマスクは、布地や紙の材質からなっており、着用者の呼吸により湿気が生じ、眼鏡着用者の場合は、その湿気が眼鏡にも影響して視野が遮られるという問題がある。また、従来のマスクは、着用時に顔面に接触されるため、息苦しさと呼吸困難、及び長期間の着用時、潤ったマスクで不快感を感じるという問題がある。
【０００６】
更に、布地や紙の材質からなるマスクは、材質の組職構成が疎かになっているため、呼吸時、有害ウイルスが浸透されることもあるという問題もある。
【０００７】
このような従来マスクの問題を解決するため、韓国登録実用新案第０２４０８０１号には、顔面保護用シールドが開示されている。しかし、このような顔面保護用シールドは、シールドとフレームとの結合が複雑で、着用者が容易に着脱することが困難であり、その活用度が不足している。即ち、病院で施術者が施術時に際して、シールドに有害物質が飛んだ場合、フレームからシールドを素早く除去及び交換をする必要があるが、その構成上、このような除去及び交換に多くの時間がかかるという問題がある。
【０００８】
また、登録実用第０２４０８０１号の顔面保護用シールドは、圧着用ピンが嵌合する孔がシールドに形成されなければならないため、シールドと顔との離隔距離が固定することになり、所望により、離隔距離の調節が不可能であって、着用者が着用した時、息苦しさと不便さを感じるという問題がある。
【０００９】
これと相まって、現代社会では、健康の維持及び生活の活力のため、野外活動をする人が増加しつつある。しかし、野外活動の最大のボトルネックは紫外線遮断の問題であり、このような紫外線を遮断するため、紫外線遮断帽子を着用するか、顔全体を覆う紫外線遮断用マスクを着用するが、遮断帽子や従来のマスクの場合、目周りの部分には紫外線遮断の効果が減少するという問題があり、マスクの場合、呼吸による湿気問題は依然としてあり、視野角も狭くなり、着用者の顔を識別することができないことにより、他人にとって嫌悪感や不快感を感じさせる場合がある。
【００１０】
本考案は、前記の問題点を解決するために案出したものであって、本考案の第１の目的は、場所によらず、使用者が簡易に顔面保護用マスクをフレームからスムーズに着脱自在にする顔面保護用マスク及びマスクフィルムの装着に用いられる眼鏡フレームを提供する。
【００１１】
また、本考案の第２の目的は、病院医者や看護師、子供、及び実験室習者が有害物質から顔面が感染やけがをすることを防止し、且つ、自由な呼吸と視野角を妨げることなく、前方透視が可能な、顔面保護用マスク及びマスクフィルムの装着に用いられる眼鏡フレームを提供する。
【００１２】
また、本考案の第３の目的は、野外活動に際して、紫外線を遮断すると共に、自由な呼吸及び前方透視機能が同時に可能な、紫外線遮断用マスク及びマスクフィルムの装着に用いられる眼鏡フレームを提供する。
【課題を解決するための手段】
【００１３】
上述した目的を達成するため、本考案による顔面保護及び紫外線遮断用マスクとマスクフィルムの装着に用いられる眼鏡フレームは、
マスクフィルムと、前記マスクフィルムが装着される眼鏡フレームとから構成される顔面保護用マスクであって、
前記眼鏡フレームは、鼻かけが結合されたフレーム前面部と、
前記フレーム前面部の両端部に折り畳み可能に結合される連結部と、
前記連結部に一端が結合されるフレーム脚部とから構成されることを特徴とする。
【００１４】
また、本考案によるマスクフィルムの装着に用いられる眼鏡フレームにおいて、
前記フレーム前面部は、中央下部に前記鼻かけが一体に形成されるか、又は、別に形成され、
前記フレーム脚部は、前記連結部の支持部に一端が結合することにより、前記フレーム前面部に連結され、
前記連結部は、一端部が前記フレーム前面部の両端部に折り畳み可能となるように結合し、他端部が前記フレーム脚部に一体に結合する支持部と、一端部が前記支持部の他端部側に結合し、且つ前記支持部とは離隔するように配置され、前記フレーム脚部と延長線上にある押圧部と、前記押圧部の内側面に突出するように備えられる押圧片とから構成されることを特徴とする。
【００１５】
更に、本考案によるマスクフィルムの装着に用いられる眼鏡フレームにおいて、
前記連結部の下部を上部に比較して内側に位置するようにし、前記連結部の内側面が角度(θ)で上方向に向けるように形成されることを特徴とする。
更に、本考案によるマスクフィルムの装着に用いられる眼鏡フレームにおいて、
前記支持部には、空間部が更に備えられ、
前記押圧部は、前記フレーム脚部と同一の曲率を有するように形成されることが望ましい。
【００１６】
なお、本考案によるマスクフィルムの装着に用いられる眼鏡フレームにおいて、
前記押圧片は、突出部分が丸い弧状であり、前記押圧部の内側面に形成された溝に結合され、前記支持部の前記空間部に対応する位置に形成され、前記押圧部の内側面から突出した前記押圧片の突出上端が、前記空間部に重なるように形成されることを特徴とする。
【００１７】
前記押圧片は、前記押圧部の内側面に形成された溝に結合されるローラ状であることを特徴とする。
【００１８】
また、本考案によるマスクフィルムの装着に用いられる眼鏡フレームにおいて、
前記支持部は、前記空間部を中心に上部と下部に分けられ、前記上部又は下部には、前記押圧部の押圧片と同一線上に配置されないように備えられた押圧片を更に含むことを特徴とする。
【００１９】
更に、本考案によるマスクフィルムの装着に用いられる眼鏡フレームにおいて、
前記押圧片は弾性材質であり、前記押圧片の突出上端部分は、前記マスクフィルムの摺動結合に際して、前記マスクフィルムに圧力を与えると共に、前記マスクフィルムにより押さえられることを特徴とする。
【００２０】
また、本考案によるマスクフィルムの装着に用いられる眼鏡フレームにおいて、
前記マスクフィルムを前記眼鏡フレームに結合してから使用者が着用したときに、前記連結部の支持部と前記押圧部とは一定の位置で接触することになり、前記押圧部と前記押圧片とは結合された前記マスクフィルムに更に圧力を与えるようになることを特徴とする。
【００２１】
更に、本考案によるマスクフィルムの装着に用いられる眼鏡フレームにおいて、
前記マスクフィルムは透明材質であり、ＰＥフィルム層、ＰＥＴフィルム層、ＵＶ遮断と曇り止め及び抗菌機能を有するコーティング層、及びＰＥフィルム層が順に積層して形成されることを特徴とする。
【００２２】
また、本考案による顔面保護用マスクは、請求項１０のマスクフィルムと、前記マスクフィルムが装着される請求項１乃至請求項９のいずれか一項の眼鏡フレームとを含むことを特徴とする。
【００２３】
また、本考案による紫外線遮断用マスクは、請求項１０のマスクフィルムと、前記マスクフィルムが装着される請求項１乃至請求項９のいずれか一項の眼鏡フレームとを含むことを特徴とする。
【考案の効果】
【００２４】
本考案による顔面保護用マスク及びマスクフィルムの装着に用いられる眼鏡フレームは、場所によらず、使用者は簡易に顔面保護用マスクをフレームからスムーズに着脱自在であり、また、病院医者や看護師、子供、及び実験室習者などが有害物質から顔面が感染したり、けがをすることを防止するだけでなく、自由な呼吸、及び視野角を妨げることなく前方透視ができるという効果がある。
【００２５】
また、本考案による紫外線遮断用マスク及びマスクフィルムの装着に用いられる眼鏡フレームは、野外活動に際しての紫外線を遮断すると共に、自由な呼吸、及び前方透視の機能が同時にできるという効果もある。
【図面の簡単な説明】
【００２６】
【図１】本考案による顔面保護及び紫外線遮断用マスクのマスクフィルム、並びに、マスクフィルムの装着に用いられる眼鏡フレームの結合関係を示す図である。
【図２Ａ】図１のА部分の断面図であって、マスクフィルムが結合される前の状態を示す図である。
【図２Ｂ】図１のА部分の断面図であって、マスクフィルムが結合された状態を示す図である。
【図３】図１のフレームの着用前後の状態を示す図である。
【図４】マスクフィルムを示す図である。
【図５】本考案による眼鏡フレームの他の実施例を示す図である。
【考案を実施するための形態】
【００２７】
以下、添付の図面を参照して本考案の顔面保護及び紫外線遮断用マスク、並びに、マスクフィルムの装着に用いられる眼鏡フレームの好適な実施例をさらに詳しく説明する。
【００２８】
図１は、本考案による顔面保護及び紫外線遮断用マスクのマスクフィルム、並びに、マスクフィルムの装着に用いられる眼鏡フレームの結合関係を示す図、図２Ａ、図２Ｂは、図１のА部分の断面図であって、図２Ａは、マスクフィルムが結合される前の状態を示す図、図２Ｂは、マスクフィルムが結合された状態を示す図、図３は、図１の眼鏡フレームの着用前後の状態を示す図、図４の(а)〜(ｂ)は、マスクフィルムを示す図，図５は、本考案による眼鏡フレームの他の実施例を示す図である。
【００２９】
図１〜図５に示すように、本考案による顔面保護及び紫外線遮断用マスクは、マスクフィルム２００と、マスクフィルムが装着される眼鏡フレーム１００とから構成され、眼鏡フレーム１００は、鼻かけ１５が結合されたフレーム前面部１０と、前記フレーム前面部１０の両端部に折り畳み可能にヒンジ結合される連結部３０と、前記連結部３０に一端が結合されるフレーム脚部２０とから構成される。
【００３０】
マスクフィルム２００は、環境にやさしいＰＥ及びＰＥＴを用いて製造したものであって透明材質であり、ＰＥフィルム層、ＰＥＴフィルム層、ＵＶ遮断と曇り止め及び抗菌機能を有するコーティング層、及びＰＥフィルム層が順に積層して形成されたものである。このように製造されたマスクフィルムは、呼吸時にフィルムに湿気が生じることなく、紫外線の遮断及びバクテリアの発生を抑制する効果があり、着用時に前方透視が可能で、視野角が制限されないという効果がある。
【００３１】
マスクフィルム２００の形状は様々な形状が可能であり、図１及び図４の(а)〜(ｄ)にマスク形状の一実施例が示されている。
【００３２】
眼鏡フレーム１００は、鼻かけ１５が結合されたフレーム前面部１０と、前記フレーム前面部１０の両端部に折り畳み可能にヒンジ結合される連結部３０と、前記連結部３０に一端が結合されるフレーム脚部２０とから構成され、着用前の眼鏡フレーム１００の概略的な平面形状は三角形である。
【００３３】
フレーム前面部１０は、ほぼ一字形状であり、中央下部に鼻かけ１５が一体に形成されるか、または、別に形成された鼻かけが取りつけられる。
【００３４】
フレーム脚部２０は、後述する連結部３０、詳しくは、連結部の支持部３２に一端が一体に結合することによりフレーム前面部１０に連結されるものであって、所定の曲率で内側に丸く形成され、それにより、フレーム前面部とともに２つのフレーム脚部２０は、ほぼ丸い三角形形状をなす。
【００３５】
連結部３０は、一端部がフレーム前面部１０の両端部に折り畳み可能となるようにヒンジ結合し、他端部はフレーム脚部２０に一体に結合する支持部３２と、一端部が支持部３２の他端部側に結合し、支持部３２とは所定の距離で平行に離隔するように配置され、フレーム脚部２０と延長線上にある押圧部３４と、押圧部３４の内側面に突出するように備えられる押圧片３６とから構成される。
【００３６】
支持部３２には、折り畳み部側に貫通される空間部３５がさらに形成されることができる。
【００３７】
また、押圧部３４は、フレーム脚部２０と延長線上にあるように、支持部３２の他端部に一端部のみが結合されたもので、支持部３２とは所定距離で平行に離隔するように配置され、押圧部の他端部も、フレーム前面部の両端部と所定距離で離隔するように形成される。押圧部３４は、フレーム脚部２０と同一の曲率を有するように形成するのが望ましい。
【００３８】
押圧部３４をこのように形成することで、マスクフィルム２００を装着させ，使用者が着用するためフレーム脚部２０を広げた時、図３に示したように、てこの原理により押圧部には圧力が働き、折り畳み部側のＢ点位置で支持部３２と接触するようになる。
【００３９】
これにより、押圧部と支持部との間のマスクフィルム２００は、後述する押圧片３６の他に、押圧部３４によっても圧力を受けることになり、更に強固に結合（装着）状態を維持するようになる。
【００４０】
また、押圧片３６は、押圧部３４の内側面に形成された溝に結合される弾性材質の丸い弧状の部材であって、支持部の空間部に対応する位置に形成されることが望ましい。押圧部３４の内側面からの突出した押圧片３６の形状は、弧状であり、その突出高さは、支持部３２と押圧部３４との間の離隔距離よりもわずか大きく形成して、押圧片３６の突出上端部分が空間部３５に少し重なるように形成するのが望ましい。
【００４１】
このように押圧片３６を弾性材質の丸い弧状に突出形成することにより、マスクフィルム２００が支持部３２と押圧部３４との間でスムーズに摺動結合（着脱）が可能となり、また、押圧片３６の弾性材質の特性上、押圧片の突出上端部分がわずかに押さえながら結合されたマスクフィルム２００に一定圧力を与えることにより、マスクフィルムは容易に抜けないように固定される。
【００４２】
本考案では、図２に示したように、押圧片が押圧部３４の溝に固定結合されたことを示したが、これに限るものではないことは明らかであり、マスクフィルム２００がスムーズに摺動結合が可能であるように、ローラ状であってもよい。
【００４３】
また、マスクフィルム２００の結合を更に強固にするように、空間部３５を中心に、支持部３２の上部及び下部に押圧片を更に形成することができる。この時、支持部に形成された押圧片は、押圧部の押圧片とは同一線上に配置しないようにするのが望ましい。
また、本考案の連結部（３０）の形状は、図５に示すように、装着されたマスクフィルムの下部が離れず、着用者の顔の側に寄るように、連結部の下部を上部に比較して内側に位置するようにし、連結部の内側面が垂直線を基準に、一定角度(θ)で上方向に向けるように形成するのが望ましい。
【００４４】
以下、図１〜図４を参照して、本考案の一実施例の顔面保護用マスクの使用方法を説明すると、以下の通りである。
【００４５】
眼鏡フレーム１００の連結部３０の支持部３２と押圧部３４との間に、マスクフィルム２００の両上部側面をスムーズに押して嵌合する。
【００４６】
この時、押圧片の押圧部からの突出部分が弧状であるため、マスクフィルムはスムーズに摺動結合（着脱）するようになる。
【００４７】
本考案は、図面を参照して実施例を参考して説明したが、これは例示的なことに過ぎず、当該分野における通常の知識を者であれば、これより様々な変形及び均等な実施例が可能であることを理解するだろう。したがって、本考案の真正な技術的な保護範囲は、添付の実用新案請求の範囲の技術的思想によって定められるべきである。
【符号の説明】
【００４８】
１００  眼鏡フレーム
１０    フレーム前面部
１５    鼻かけ
２０    フレーム脚部
３０    連結部
３２    支持部
３４    押圧部
３５    空間部
３６    押圧片
【図１】
0003170553.tif 000003
【図２Ａ】
0003170553.tif 000004
【図２Ｂ】
0003170553.tif 000005
【図３】
0003170553.tif 000006
【図４】
0003170553.tif 000007
【図５】
0003170553.tif 000008